(57)【要約】【課題】訪問者の身分などを確認できる他、多種多様な機能を実現できるＩＣタグ装置、サーバ装置、セキュリティシステムを提供する。【解決手段】ＩＣタグ装置が付加される対象物の機能に関する機能情報と対象物を識別するためのＩＤ情報とを記憶しておき、入力される指令に応じて所定の処理を実行することにより、多種多様なシステムを構築できる。例えば、訪問者が携帯する身分証明書に対応するタグ情報をＩＣタグ装置から送信し、ホームサーバ装置２において、タグ情報について照合処理を行う。このように構成すれば、訪問者の身分などを確認できるセキュリティシステムを実現できる。【選択図】図７
2007193735.tif 000002
【特許請求の範囲】
【請求項１】
対象物に付加されるＩＣタグ装置であって、自装置が付加される対象物の機能に関する機能情報と前記対象物を識別するためのＩＤ情報とを含むタグ情報を記憶する記憶手段と、入力される指令に応じて所定の処理を実行する処理実行手段とを有することを特徴とするＩＣタグ装置。
【請求項２】
操作された時に前記指令を発生させるスイッチを更に有することを特徴とする請求項１に記載のＩＣタグ装置。
【請求項３】
前記機能情報は複数のカテゴリからなる複数の情報から構成されており、前記処理実行手段は、前記記憶手段の記憶内容のうち、前記入力される指令に応じて所定カテゴリに属する情報のみを送信することを特徴とする請求項１又は２に記載のＩＣタグ装置。
【請求項４】
タグ装置から送信される、該タグ装置が付加される対象物の機能に関する機能情報と前記対象物を識別するためのＩＤ情報とを含むタグ情報を取得するタグ情報取得手段と、複数のタグ装置についての前記タグ情報同士を対応付けるデータベースとを有することを特徴とするサーバ装置。
【請求項５】
前記データベースによって対応付けられたタグ情報の一方を受信した場合、対応付けられた他方のタグ情報を記憶しているＩＣタグ装置に所定の処理を実行させるための指令を送信する通信手段を更に有することを特徴とする請求項４に記載のサーバ装置。
【請求項６】
請求項１から請求項３までのいずれか１項に記載のＩＣタグ装置と、請求項４又は５に記載のサーバ装置とを用いて構成されたセキュリティシステムであって、前記対象物は訪問者が携帯する身分証明書であり、前記処理実行手段は前記身分証明書に対応するタグ情報を送信し、前記サーバ装置は前記タグ情報取得手段が取得したタグ情報について照合処理を行うことを特徴とするセキュリティシステム。
【請求項７】
前記サーバ装置は、前記タグ情報取得手段が取得したタグ情報を他の装置に送信し、そのタグ情報についての照合処理結果を前記他の装置から取得することを特徴とする請求項６記載のセキュリティシステム。
【請求項８】
前記身分証明書に対応するタグ情報はカテゴリ分類されており、前記処理実行手段は入力される指令に対応するカテゴリに属する情報のみを送信することを特徴とする請求項６又は７に記載のセキュリティシステム。
【請求項９】
前記訪問者の身体的特徴に関する情報を取得するセンサを更に有し、前記センサによって取得した情報をも前記照合処理に用いることを特徴とする請求項６から請求項７までのいずれか１項に記載のセキュリティシステム。
【発明の詳細な説明】
【技術分野】
【０００１】
本発明はＩＣタグ装置、サーバ装置、セキュリティシステムに関し、特にホームセキュリティシステムなどを実現することのできるＩＣタグ装置、サーバ装置、セキュリティシステムに関する。
【背景技術】
【０００２】
ＩＣタグを物品に付することにより、その物品の所在を家庭あるいは個人のレベルで管理する技術が特許文献１に記載されている。この特許文献１に記載されている技術を用いて、物品の移動を管理することにより、盗難を防止するホームセキュリティシステムを構築することが可能である。また、食品などの消耗品に付けて家庭の在庫管理することも可能である。さらに、本特許文献１に記載されている技術を用いて、流通管理や倉庫の在庫管理システムを構築することも可能である。
【特許文献１】特開２００２−１０４６２６号公報（段落[０００６]）
【発明の開示】
【発明が解決しようとする課題】
【０００３】
しかしながら、特許文献１に記載されている技術を用いても、訪問者の身分などを確認することはできず、ホームセキュリティシステムとしては不十分である。
本発明はこのような課題を解決するためになされたものであり、その目的は訪問者の身分などを確認できる他、多種多様な機能を実現できるＩＣタグ装置、サーバ装置、セキュリティシステムを提供することである。
【課題を解決するための手段】
【０００４】
本発明の請求項１によるＩＣタグ装置は、対象物に付加されるＩＣタグ装置であって、自装置が付加される対象物の機能に関する機能情報と前記対象物を識別するためのＩＤ情報とを含むタグ情報を記憶する記憶手段と、入力される指令に応じて所定の処理を実行する処理実行手段とを有することを特徴とする。このように構成されたＩＣタグ装置を用いれば、訪問者の身分などを確認できるセキュリティシステムを実現できる他、多種多様なシステムを構築できる。
【０００５】
本発明の請求項２によるＩＣタグ装置は、請求項１において、操作された時に前記指令を発生させるスイッチを更に有することを特徴とする。このように構成されたＩＣタグ装置を用いれば、ユーザによってスイッチが操作された時に、所定の処理を実行することができる。
本発明の請求項３によるＩＣタグ装置は、請求項１又は２において、前記機能情報は複数のカテゴリからなる複数の情報から構成されており、前記処理実行手段は、前記記憶手段の記憶内容のうち、前記入力される指令に応じて所定カテゴリに属する情報のみを送信することを特徴とする。このように構成されたＩＣタグ装置を用いれば、ユーザのスイッチ操作などによって発生する指令の種類に対応するカテゴリに属する情報のみを送信できる。
【０００６】
本発明の請求項４によるサーバ装置は、タグ装置から送信される、該タグ装置が付加される対象物の機能に関する機能情報と前記対象物を識別するためのＩＤ情報とを含むタグ情報を取得するタグ情報取得手段と、複数のタグ装置についての前記タグ情報同士を対応付けるデータベースとを有することを特徴とする。タグ情報同士を対応付けることにより、対象物同士の協働動作を実現できる。
【０００７】
本発明の請求項５によるサーバ装置は、請求項４において、前記データベースによって対応付けられたタグ情報の一方を受信した場合、対応付けられた他方のタグ情報を記憶しているＩＣタグ装置に所定の処理を実行させるための指令を送信する通信手段を更に有することを特徴とする。タグ情報同士を対応付けることにより、対象物をリンクして動作させることができる。例えば、対象物である「スイッチ」及び「照明器具」について、それぞれのタグ情報同士を対応付ければ、「スイッチ」のオンオフに応じて「照明器具」をオンオフさせることができる。しかも、この場合には、両者間の配線は不要である。
【０００８】
本発明の請求項６によるセキュリティシステムは、請求項１から請求項３までのいずれか１項に記載のＩＣタグ装置と、請求項４又は５に記載のサーバ装置とを用いて構成されたセキュリティシステムであって、前記対象物は訪問者が携帯する身分証明書であり、前記処理実行手段は前記身分証明書に対応するタグ情報を送信し、前記サーバ装置は前記タグ情報取得手段が取得したタグ情報について照合処理を行うことを特徴とする。このようにセキュリティシステムを構成することにより、訪問者の身分などをローカル処理によって確認することができる。
【０００９】
本発明の請求項７によるセキュリティシステムは、請求項６において、前記サーバ装置は、前記タグ情報取得手段が取得したタグ情報を他の装置に送信し、そのタグ情報についての照合処理結果を前記他の装置から取得することを特徴とする。このようにセキュリティシステムを構成することにより、訪問者の身分などをリモート処理によって確認することができる。
【００１０】
本発明の請求項８によるセキュリティシステムは、請求項６又は７において、前記身分証明書に対応するタグ情報はカテゴリ分類されており、前記処理実行手段は入力される指令に対応するカテゴリに属する情報のみを送信することを特徴とする。このように構成することにより、状況に応じて個人情報などを送信したり、送信しなかったり、柔軟な対応が可能となる。
【００１１】
本発明の請求項９によるセキュリティシステムは、請求項６から請求項７までのいずれか１項において、前記訪問者の身体的特徴に関する情報を取得するセンサを更に有し、前記センサによって取得した情報をも前記照合処理に用いることを特徴とする。このように構成すれば、訪問者の顔画像、声紋、指紋などを認証することができ、その認証結果を利用することにより、セキュリティをより高めることができる。
【発明の効果】
【００１２】
本発明によれば、ＩＣタグ装置が付加される対象物の機能に関する機能情報と対象物を識別するためのＩＤ情報とを記憶しておき、入力される指令に応じて所定の処理を実行することにより、訪問者の身分などを確認できるセキュリティシステムを実現できる他、多種多様なシステムを構築できる。
【発明を実施するための最良の形態】
【００１３】
以下、本発明の実施の形態を、図面を参照して説明する。なお、以下の説明において参照する各図では、他の図と同等部分は同一符号によって示されている。
（ＩＣタグ装置の構成例）
図１は、本発明の実施形態によるＩＣタグ装置の一構成例を示すブロック図である。同図において、本発明の実施形態によるＩＣタグ装置１は、ＩＣタグ装置自身が付加される対象物の機能に関する機能情報１１２とその対象物を識別するためのＩＤ情報１１１とを含むタグ情報１１０を記憶する記憶手段１１と、入力される指令に応じて所定の処理を実行する処理実行手段１２とを含んで構成されている。
【００１４】
ここで、ＩＣタグ装置自身が付加される対象物には、あらゆる物が含まれる。例えば、住宅内に存在するものであれば、照明器具、ドア、カメラ付きインターホン、天井扇などである。対象物の機能とは、照明器具であればオン、オフという機能、ドアであれば施錠、解錠という機能、カメラ付きインターホンであれば撮影、音声出力という機能、天井扇であれば回転開始、回転停止という機能である。
また、処理実行手段１２が実行する処理には、記憶手段１１の記憶内容を送信する処理、外部装置から送信された信号を受信する処理など、あらゆる処理が含まれる。
【００１５】
図２は、本発明の実施形態によるＩＣタグ装置の他の構成例を示すブロック図である。同図において、本発明の実施形態によるＩＣタグ装置１は、図１の構成に、処理実行手段１２に入力される指令を発生させるためのスイッチＳＷが追加された構成である。本例のスイッチＳＷには、４つのスイッチＳＷ１、ＳＷ２、ＳＷ３、ＳＷ４が含まれている。これらのスイッチＳＷ１〜ＳＷ４を操作することにより、異なる指令を処理実行手段１２に入力することができる。
【００１６】
（データベースの構成例）
図３は、本発明の実施形態によるサーバ装置のデータベースに記憶されるタグ情報の例を示す図である。タグ情報は、ＩＣタグ装置が付加される対象物によって異なる。すなわち、同図（ａ）を参照すると、装置Ａには、その装置特有の機能がある。例えば、機能Ａ１、機能Ａ２、機能Ａ３、機能Ａ４…がある。また、装置Ｂにもその装置特有の機能Ｂ１、機能Ｂ２、機能Ｂ３、機能Ｂ４…がある。これらの機能には、電源オン、電源オフという単純なものの他、複雑な処理や動作も含まれる。これら各装置の機能同士について、対応付ける内容をデータベースに記憶する。
【００１７】
ここで、同図（ｂ）を参照すると、照明器具Ｌ１は、「オン」、「オフ」という機能を有している。また、スイッチＳ１は、「オン」、「オフ」という機能を有している。このため、同図（ｃ）のように、スイッチＳ１の「オン」と照明器具Ｌ１の「オン」とを対応付けると共に、スイッチＳ１の「オフ」と照明器具Ｌ１の「オフ」とを対応付ける内容をデータベースに記憶しておけば、このデータベースの内容を参照することでスイッチＳ１の動作と照明器具Ｌ１の動作とをリンクさせることができる。すなわち、スイッチＳ１を「オン」にすれば照明器具Ｌ１が「オン」となり、スイッチＳ１を「オフ」にすれば照明器具Ｌ１が「オフ」となる。この場合、スイッチＳ１が「オン」に操作されると、スイッチＳ１に付加されているＩＣタグ装置に指令が送られる。すると、ＩＣタグ装置からサーバ装置に指令が送信され、データベースの記憶内容が参照される。データベースの記憶内容に従って、照明器具Ｌ１に付加されているＩＣタグ装置に指令が送られ、そのＩＣタグ装置から照明器具Ｌ１に指令が送られる。これにより、照明器具Ｌ１が「オン」になる。なお、以上の処理を実現する場合に、スイッチＳ１から照明器具Ｌ１まで電気配線を設けておく必要は無い。
【００１８】
また、同図（ｄ）のように、スイッチＳ２に２つの照明器具Ｌ１、Ｌ２を対応付けることもできる。同図のようにデータベースに記憶されている場合、スイッチＳ２が「オン」のときに照明器具Ｌ１のみ「オン」（照明器具Ｌ２は「オフ」）、スイッチＳ２が「オフ」のときに照明器具Ｌ１及びＬ２を共に「オン」とすることができる。同図（ｅ）のように、ドアについての機能は「オープン」、「クローズ」、ファンについての機能は「右回転」、「左回転」、「停止」などであり、これらを上記のスイッチＳ１、Ｓ２の「オン」、「オフ」の機能に対応付ける内容をデータベースに記憶しておけば、ＩＣタグ装置から指令が送られ、ドアやファンの動作状態を制御することができる。この他、データベースの記憶内容により、複雑な処理を実現することができる。
【実施例１】
【００１９】
図１のＩＣタグ装置と図３のデータベースを有するサーバ装置とを用いて照明器具を制御する場合について、図４を参照して説明する。同図は、サーバ装置のデータベースに記憶されるタグ情報によって制御される照明器具の動作例を示す図である。照明器具Ｌ１にはＩＣタグ装置１ａが、照明器具Ｌ２にはＩＣタグ装置１ｂが、スイッチＳ１にはＩＣタグ装置１ｃが、スイッチＳ２にはＩＣタグ装置１ｄが、それぞれ付加されている。
【００２０】
このような構成において、サーバ装置のデータベースの記憶内容が図３（ｂ）及び（ｃ）のようになっている場合、スイッチＳ１をオンにすると、ＩＣタグ装置１ｃから指令が送信され、ホームサーバ装置２に記憶されているデータベースの内容が参照されることにより、ＩＣタグ装置１ａに指令が送られる。これにより、照明器具Ｌ１がオンになる。一方、スイッチＳ１をオフにすると、同様にデータベースの内容が参照され、ＩＣタグ装置１ａに指令が送られ、照明器具Ｌ１がオフになる。
【００２１】
また、スイッチＳ２をオンにすると、ＩＣタグ装置１ｄから指令が送信され、ホームサーバ装置２に記憶されているデータベースの内容が参照されることにより、ＩＣタグ装置１ａ及び１ｂに指令が送られる。これにより、照明器具Ｌ１がオン、照明器具Ｌ２がオフになる。一方、スイッチＳ２をオフにすると、同様にデータベースの内容が参照され、ＩＣタグ装置１ａ及び１ｂに指令が送られ、照明器具Ｌ１及びＬ２が共にオンになる。
なお、データベースの記憶内容を変更すれば、オンオフの条件を変更できる。
【実施例２】
【００２２】
図２のＩＣタグ装置を用いてホームセキュリティシステムを構成する場合について、図５〜図７を参照して説明する。
（ＩＣタグ装置の構成例）
図５（ａ）に示されているように、ＩＣタグ装置１は、対象物に内蔵されたり、対象物表面に貼付されたりすることにより、対象物に付加される。ＩＣタグ装置１が付加される対象物は、例えば、家庭電化製品、セキュリティロボット、案内ロボット、受付ロボットなどである。ただし、これらに限定されるものではなく、あらゆるものがＩＣタグ装置１の付加対象物になりうる。同図（ｂ）は、身分証明書にＩＣタグ装置１を付加する場合の構成例を示す図である。同図（ｂ）を参照すると、身分証明書１００には、図１を参照して説明したＩＣタグ装置が内蔵されている。身分証明書１００の表面には、氏名や会社名が記載されている他、写真Ｐが貼付されている。身分証明書１００の上部には安全ピン１０１が設けられている。この安全ピン１０１を利用することにより、訪問者の衣服などに身分証明書１００を装着することができる。
【００２３】
一方、同図（ｃ）を参照すると、身分証明書１００には、図２を参照して説明したＩＣタグ装置１が内蔵されている。また、身分証明書１００の表面にはスイッチＳＷ１、ＳＷ２、ＳＷ３が設けられ、その側面にはスイッチＳＷ４が設けられている。
スイッチＳＷ１、ＳＷ２、ＳＷ３は押しボタンスイッチであり、操作されたタイミングで指令を発生させることができる。本例では、スイッチＳＷ１の操作部分に「一般」、スイッチＳＷ２の操作部分に「部外秘」、スイッチＳＷ３の操作部分に「秘密」、がそれぞれ記載されている。
【００２４】
スイッチＳＷ４はスライド式スイッチであり、矢印Ｙの方向にスライド操作できる。そして、スライドされた位置に対応する指令を発生させることができる。本例では、オンオフの位置のいずれかにスライド操作でき、オンの位置に操作されている場合に、上記指令を継続的に発生させることができる。
ＬＥＤなどを身分証明書１００に追加し、これらのスイッチＳＷ１〜ＳＷ４が操作された場合に、それを点灯させてもよい。
なお、同図（ａ）の場合と同様に、身分証明書１００の表面に氏名や会社名が記載され、写真Ｐが貼付され、安全ピン１０１が設けられている。
【００２５】
図６は、身分証明書に付加されるＩＣタグ装置のタグ情報の例を示す図である。同図に示されているように、本例では、身分証明書の「ＩＤ情報」は「ＩＤ××××」、「氏名」は「本田太郎」、「所属会社」は「Ａ社」、「認証ＵＲＬ」は「http://www.○○○．com/confirID.php」、「電話番号」は「０５５−２５２−２５２」、「電子メールアドレス」は「tarou@○○○.com」、「社員番号」は「９２３３５４」、である。これらのタグ情報は、複数のカテゴリに分類されている。本例では、「ＩＤ情報」は「公開」のカテゴリ、「氏名」、「所属会社」及び「認証ＵＲＬ」は「一般」のカテゴリ、「電話番号」及び「電子メールアドレス」は「部外秘」のカテゴリ、「社員番号」は「秘密」のカテゴリ、にそれぞれ分類されている。そして、図５を参照して説明した、「一般」、「部外秘」、「秘密」の各スイッチＳＷ１〜ＳＷ３を操作すると、対応するカテゴリに属する情報を送信するための指令が発生し、それらの情報が送信される。このとき、ＩＣタグ装置の「ＩＤ情報」については、どのスイッチを操作しても必ず送信される。
スイッチＳＷ４がオン操作されている場合は、例えば、「一般」のカテゴリに属する情報のみを送信するための指令を継続的に発生させればよい。
以上のように、特定のカテゴリに属する情報のみを送信することにより、状況に応じて個人情報などを送信したり、送信しなかったり、柔軟な対応が可能となる。
【００２６】
（ホームセキュリティシステムの構成例）
図７は、身分証明書にＩＣタグ装置を付加した訪問者についての認証を行うホームセキュリティシステムの構成例を示す図である。同図を参照すると、本例のホームセキュリティシステムは、身分証明書１００に付加されたＩＣタグ装置１ａと、インターホンＩに付加されたＩＣタグ装置１ｂと、ドア制御盤４に付加されたＩＣタグ装置１ｃと、ドアＤ付加されたＩＣタグ装置１ｄと、タグ情報が記憶されたデータベースＤＢを有するホームサーバ装置２と、身分証明書を装着した訪問者について認証を行う機能を有する外部サーバ装置３と、ホームサーバ装置２に接続されたディスプレイモニタＭとを含んで構成されている。
【００２７】
インターホンＩは、訪問者の顔画像などを撮影するためのカメラ、音声入力するためのマイクロホン、音声出力するためのスピーカを有しており、押しボタンが操作されるとそれらの動作が開始される。
ドアＤは開け閉め可能な玄関ドアであり、施錠（ロック）及び解錠（アンロック）が電気制御可能になっている。このドアＤの施錠、解錠するための指令を発生するのがドア制御盤４である。ドア制御盤４には、「施錠」スイッチと、「解錠」スイッチとが設けられており、操作されたスイッチに対応する指令がＩＣタグ装置１ｃから送信される。
【００２８】
ホームサーバ装置２のデータベースＤＢには、複数のタグ情報同士が対応付けられて記憶されている。
外部サーバ装置３は、ネットワークＮＷを介してホームサーバ装置２からアクセス可能になっている。ネットワークＮＷは、例えば、電話回線、携帯電話回線、ＡＤＳＬ（Asymmetric Digital Subscriber Line）、ＩＳＤＮ（Integrated Services Digital Network）などである。
ホームサーバ装置２は、テレビ、ビデオ、オーディオなどのマルチメディア機器と接続されていてもよい。
【００２９】
以上のような構成において、身分証明書１００を装着した訪問者がインターホンＩの前に立ち、その押しボタンを操作すると、ＩＣタグ装置１ａに記憶されているＩＤ情報が送信される。このとき、身分証明書１００に設けられているスイッチを操作することにより、送信したい情報のみを送信できる。
ＩＣタグ装置１ａに記憶されているＩＤ情報が送信されると、ホームサーバ装置２において、認証処理が行われる。この認証処理は、ホームサーバ装置２内に認証情報が記憶されている場合は、その認証情報と受信したＩＤ情報とを比較することによって行われる。ホームサーバ装置２内に認証情報が記憶されていない場合は、ネットワークＮＷを介して外部サーバ装置３にアクセスし、外部サーバ装置３内に記憶されている認証情報と受信したＩＤ情報とを比較することで認証処理を実現する。
【００３０】
認証処理の結果は、図示せぬスピーカから音声メッセージによって出力されたり、ディスプレイモニタＭの画面に表示されたりする。この認証結果を、住宅の住民が確認した後、ドア制御盤４を操作することになる。認証結果がＯＫであれば、「解錠」スイッチを操作することにより、ドアＤをアンロックするための指令がＩＣタグ装置１ｃから送信され、その指令を受信したホームサーバ装置２がデータベースＤＢを参照し、ＩＣタグ装置１ｄに指令を送信する。この指令を受信したＩＣタグ装置１ｄは、ドアＤの解錠を行う。
【００３１】
一方、認証結果がＮＧであれば、自動的に警察に通報を行うなどの処理を行う。身分証明書１００について紛失届けや盗難届けが提出されていれば、その情報を外部サーバ装置３に記憶しておくことにより、ホームサーバ装置２からのアクセスが行われた場合に、認証ＮＧの情報を送信することができる。顔画像については、データベースＤＢに蓄積して後で確認できるようにしてもよいし、その内容を警察に通報してもよい。
【００３２】
訪問者について以上のように認証処理を行うことで、個人情報を保護しつつセキュリティを確保することができる。また、住宅の住民が外出している最中に、訪問者が来た場合は、その住民が携帯している携帯電話機に発呼して来訪者とリアルタイムの通話を実現したり、メール送信して来訪の旨を報知したりすることができる。住民が来訪者に応対できない場合は、インターホンのカメラの画像を録画し、ビデオメッセージとして記録してもよい。
【００３３】
（まとめ）
図８はＩＣタグ装置の構成例を示す図、図９はＩＣタグ装置を身分証明書に付加する場合の構成例を示す図、図１０は住宅内においてユビキタス環境を実現するための構成例を示す図、図１１は訪問者の認証を行う処理例を示す図、図１２は住宅の住民が不在であった場合の処理例を示す図である。これらの図に示されている内容に従ってホームセキュリティシステムを構成すれば、訪問者の身分などを確認できる他、多種多様な機能を実現できる。
【産業上の利用可能性】
【００３４】
本発明はホームセキュリティシステム、多種多様なシステムの構築に用いることができる。
【図面の簡単な説明】
【００３５】
【図１】本発明の実施形態によるＩＣタグ装置の一構成例を示すブロック図である。
【図２】本発明の実施形態によるＩＣタグ装置の他の構成例を示すブロック図である。
【図３】本発明の実施形態によるサーバ装置のデータベースに記憶されるタグ情報の例を示す図である。
【図４】サーバ装置のデータベースに記憶されるタグ情報によって制御される照明器具の動作例を示す図である。
【図５】身分証明書にＩＣタグ装置を付加する場合の構成例を示す図である。
【図６】身分証明書に付加されるＩＣタグ装置のタグ情報の例を示す図である。
【図７】身分証明書にＩＣタグ装置を付加した訪問者についての認証を行うホームセキュリティシステムの構成例を示す図である。
【図８】ＩＣタグ装置の構成例を示す図である。
【図９】ＩＣタグ装置を身分証明書に付加する場合の構成例を示す図である。
【図１０】住宅内においてユビキタス環境を実現するための構成例を示す図である。
【図１１】訪問者の認証を行う処理例を示す図である。
【図１２】住宅の住民が不在であった場合の処理例を示す図である。
【符号の説明】
【００３６】
１、１ａ〜１ｄ  ＩＣタグ装置
２  ホームサーバ装置
３  外部サーバ装置
４  ドア制御盤
１１  記憶手段
１２  処理実行手段
１００  身分証明書
１０１  安全ピン
１１０  タグ情報
１１１  ＩＤ情報
１１２  機能情報
Ｄ  ドア
ＤＢ  データベース
Ｉ  インターホン
Ｌ１、Ｌ２  照明器具
Ｍ  ディスプレイモニタ
ＮＷ  ネットワーク
Ｐ  写真
Ｓ１、Ｓ２、ＳＷ１〜ＳＷ４  スイッチ
【図１】
2007193735.tif 000003
【図２】
2007193735.tif 000004
【図３】
2007193735.tif 000005
【図４】
2007193735.tif 000006
【図５】
2007193735.tif 000007
【図６】
2007193735.tif 000008
【図７】
2007193735.tif 000009
【図８】
2007193735.tif 000010
【図９】
2007193735.tif 000011
【図１０】
2007193735.tif 000012
【図１１】
2007193735.tif 000013
【図１２】
2007193735.tif 000014